【手続補正書】
【提出日】令和1年8月21日(2019.8.21)
【手続補正１】
【補正対象書類名】特許請求の範囲
【補正対象項目名】全文
【補正方法】変更
【補正の内容】
【特許請求の範囲】
【請求項１】
ユニバーサルシリアルバス(USB)スプリッタケーブルであって、
複数のホストピンを備えるUSBホストプラグであって、前記複数のホストピンが複数のデータピンを備える、USBホストプラグと、
前記複数のホストピンのピンカウント以下である第1のピンカウントを有する第1のピンのセットを備える第1のUSBデバイスプラグであって、前記第1のピンのセットが1つまたは複数の第1のデータピンを備える、第1のUSBデバイスプラグと、
前記複数のホストピンの前記ピンカウント未満である第2のピンカウントを有する第2のピンのセットを備える第2のUSBデバイスプラグであって、前記第2のピンのセットが1つまたは複数の第2のデータピンを備える、第2のUSBデバイスプラグと、
ホストUSBプラグケーブル部を通じて前記USBホストプラグに、第1のデバイスケーブル部を通じて前記第1のUSBデバイスプラグに、かつ第2のデバイスケーブル部を通じて前記第2のUSBデバイスプラグに結合されるケーブルスプリッタであって、
前記ホストUSBプラグケーブル部が、前記複数のホストピンに結合される複数の導線を備え、
前記第1のデバイスケーブル部が、前記1つまたは複数の第1のデータピンに結合される複数の第1の導線を備え、
前記第2のデバイスケーブル部が、前記1つまたは複数の第2のデータピンに結合される複数の第2の導線を備える、
ケーブルスプリッタと
を備え、
前記第1のUSBデバイスプラグおよび前記第2のUSBデバイスプラグが、それぞれ前記1つまたは複数の第1のデータピンおよび前記1つまたは複数の第2のデータピンを通じて前記USBホストプラグと同時に通信するように構成される、
USBスプリッタケーブル。
【請求項２】
前記複数のホストピンが、少なくとも1つの電力ピンと、少なくとも1つの制御ピンとをさらに備え、
前記第1のピンのセットが、少なくとも1つの第1の電力ピンと、少なくとも1つの第1の制御ピンとをさらに備え、
前記第2のピンのセットが、少なくとも1つの第2の電力ピンと、少なくとも1つの第2の制御ピンとをさらに備え、
前記第1のデバイスケーブル部の前記複数の第1の導線が、前記少なくとも1つの第1の電力ピンと、前記少なくとも1つの第1の制御ピンとにさらに結合され、
前記第2のデバイスケーブル部の前記複数の第2の導線が、前記少なくとも1つの第2の電力ピンと、前記少なくとも1つの第2の制御ピンとにさらに結合される、
請求項1に記載のUSBスプリッタケーブル。
【請求項３】
前記ケーブルスプリッタが、
前記少なくとも1つの第1の電力ピンおよび前記少なくとも1つの第2の電力ピンを前記USBホストプラグ内の前記少なくとも1つの電力ピンに導電的に結合することと、
前記少なくとも1つの制御ピンおよび前記少なくとも1つの第2の制御ピンを前記USBホストプラグ内の前記少なくとも1つの制御ピンに導電的に結合することと、
前記1つまたは複数の第1のデータピンを前記USBホストプラグ内の前記複数のデータピンのうちのそれぞれのデータピンに導電的に結合することと、
前記1つまたは複数の第2のデータピンを前記USBホストプラグ内の前記複数のデータピンのうちのそれぞれのデータピンに導電的に結合することと
を行うように構成される、請求項2に記載のUSBスプリッタケーブル。
【請求項４】
前記第1のUSBデバイスプラグおよび前記第2のUSBデバイスプラグが、前記USBホストプラグ内の前記少なくとも1つの電力ピンから同時に電力を受け取るように構成される、請求項3に記載のUSBスプリッタケーブル。
【請求項５】
前記第1のUSBデバイスプラグおよび前記第2のUSBデバイスプラグが、時分割スケジュールに従って前記USBホストプラグ内の前記少なくとも1つの制御ピンによって制御されるように構成される、請求項3に記載のUSBスプリッタケーブル。
【請求項６】
前記第1のUSBデバイスプラグおよび前記第2のUSBデバイスプラグが、それぞれ前記1つまたは複数の第1のデータピンおよび前記1つまたは複数の第2のデータピンを通じて前記USBホストプラグと交互に通信するように構成される、請求項3に記載のUSBスプリッタケーブル。
【請求項７】
前記第1のUSBデバイスプラグおよび前記第2のUSBデバイスプラグが、同時に機能するように構成される、請求項3に記載のUSBスプリッタケーブル。
【請求項８】
前記USBホストプラグが、
前記少なくとも1つの電力ピンに対応する少なくとも1つのバスパワー(VBUS)ピンと、
前記少なくとも1つの制御ピンに対応する少なくとも1つの構成チャネル(CC)ピンと、
ハイスピードデータピンのペアと、
スーパースピードデータ送信(TX)ピンおよびスーパースピードデータ受信(RX)ピンを備える少なくとも1つのスーパースピードデータピンのペアと、
少なくとも1つのサイドバンド使用(SBU)ピンと
を備えるUSBフル機能Type-Cホストプラグである、請求項2に記載のUSBスプリッタケーブル。
【請求項９】
前記第1のUSBデバイスプラグが、
前記ケーブルスプリッタを介して前記USBホストプラグ内の前記少なくとも1つのVBUSピンに導電的に結合される少なくとも1つの第1のVBUSピンと、
前記ケーブルスプリッタを介して前記USBホストプラグ内の前記ハイスピードデータピンのペアに導電的に結合される第1のハイスピードデータピンのペアと
を備えるUSBハイスピードプラグである、請求項8に記載のUSBスプリッタケーブル。
【請求項１０】
前記第1のUSBデバイスプラグが、USBハイスピードプラグフォームファクタで設けられる、請求項9に記載のUSBスプリッタケーブル。
【請求項１１】
前記第2のUSBデバイスプラグが、
前記ケーブルスプリッタを介して前記USBホストプラグ内の前記少なくとも1つのVBUSピンに導電的に結合される少なくとも1つの第2のVBUSピンと、
前記ケーブルスプリッタを介して前記USBホストプラグ内の前記少なくとも1つのCCピンに導電的に結合される少なくとも1つの第2のCCピンと、
第2のスーパースピードデータTXピンおよび第2のスーパースピードデータRXピンを備える少なくとも1つの第2のスーパースピードデータピンのペアであって、
前記第2のスーパースピードデータTXピンが、前記ケーブルスプリッタを介して前記USBホストプラグ内の前記スーパースピードデータRXピンに導電的に結合され、
前記第2のスーパースピードデータRXピンが、前記ケーブルスプリッタを介して前記USBホストプラグ内の前記スーパースピードデータTXピンに導電的に結合される、
少なくとも1つの第2のスーパースピードデータピンのペアと
を備えるUSBディスプレイアダプタである、請求項8に記載のUSBスプリッタケーブル。
【請求項１２】
前記第2のUSBデバイスプラグが、
前記ケーブルスプリッタを介して前記USBホストプラグ内の前記少なくとも1つのVBUSピンに導電的に結合される少なくとも1つの第2のVBUSピンと、
前記ケーブルスプリッタを介して前記USBホストプラグ内の前記少なくとも1つのCCピンに導電的に結合される少なくとも1つの第2のCCピンと、
前記ケーブルスプリッタを介して前記USBホストプラグ内の前記少なくとも1つのSBUピンに導電的に結合される少なくとも1つの第2のSBUピンと
を備えるUSBオーディオプラグである、請求項8に記載のUSBスプリッタケーブル。
【請求項１３】
前記第2のUSBデバイスプラグが、
前記ケーブルスプリッタを介して前記USBホストプラグ内の前記少なくとも1つのVBUSピンに導電的に結合される少なくとも1つの第2のVBUSピンと、
前記ケーブルスプリッタを介して前記USBホストプラグ内の前記少なくとも1つのCCピンに導電的に結合される少なくとも1つの第2のCCピンと
を備えるUSB充電器プラグである、請求項8に記載のUSBスプリッタケーブル。
【請求項１４】
前記USB充電器プラグが、前記ケーブルスプリッタを介して前記USBホストプラグ内の前記ハイスピードデータピンのペアに導電的に結合される第2のハイスピードデータピンのペアをさらに備える、請求項13に記載のUSBスプリッタケーブル。
【請求項１５】
前記第1のデバイスケーブル部および前記第2のデバイスケーブル部が、異なる長さである、請求項1に記載のUSBスプリッタケーブル。